(57)【要約】【課題】レンジフードの平面方形状の固形のフィルタの前面の全面を完全に覆うことが可能であって、かつ幅広いサイズの固形のフィルタに取り付けることが可能なレンジフードのフィルタカバーの提供。【解決手段】略平面方形状のフィルタカバー本体２と、伸縮性を有する紐状体３とからなり、フィルタカバー本体２は、周縁の四辺１０ａ，１０ｂ，１０ｃ，１０ｄがそれぞれ中心に向かって内側に折り返され、紐状体３は、フィルタカバー本体２の折り返された周縁四辺１０ａ，１０ｂ，１０ｃ，１０ｄのそれぞれの中心部近傍であって、隣り合う辺同士（辺１０ａと辺１０ｃ、辺１０ａと辺１０ｄ、辺１０ｂと辺１０ｃ、辺１０ｂと辺１０ｄ）に張り渡されたレンジフードのフィルタカバー１である。【選択図】  図１
2006183931.tif 000002
【特許請求の範囲】
【請求項１】
レンジフードの平面方形状の固形のフィルタを覆うレンジフードのフィルタカバーであって、略平面方形状のフィルタカバー本体と、伸縮性を有する紐状体とからなり、前記フィルタカバー本体は、周縁の四辺がそれぞれ中心に向かって内側に折り返され、前記紐状体は、前記フィルタカバー本体の折り返された周縁四辺のそれぞれの中心部近傍であって、隣り合う辺同士に張り渡されたレンジフードのフィルタカバー。
【請求項２】
前記フィルタカバー本体の周縁四辺の中心部近傍の一部のみに前記紐状体を挿通する挿通部を有し、前記紐状体は、前記周縁四辺の挿通部のすべてに挿通されて環状に配されたものである請求項１記載のレンジフードのフィルタカバー。
【請求項３】
前記フィルタカバー本体の周縁四辺は、前記中心部近傍を除いて四隅に向かってテーパが形成されたものである請求項１または２に記載のレンジフードのフィルタカバー。
【発明の詳細な説明】
【技術分野】
【０００１】
本発明は、レンジフード内の平面方形状の金属製や樹脂製等の固形のフィルタを覆うためのフィルタカバーに関する。
【背景技術】
【０００２】
レンジフード内の平面方形状の金属製フィルタを覆うものとして、例えば、特許文献１に記載のフィルタカバーが知られている。このフィルタカバーは、不織布などで構成されたフィルタと、このフィルタの周縁部に設けられた伸縮性紐状体とを有している。フィルタは、開口部を有する袋状に形成されたものであり、開口部の縁部には環状挿通孔が形成され、この環状挿通孔には伸縮性を有する環状紐状体が配されている。
【０００３】
このフィルタカバーでは、フィルタカバーの紐状体を伸長させて開口部を拡大させ、金属製フィルタのフロント面をカバーまたは被包し、紐状体の伸長を解除することにより、金属製フィルタに取り付けることができる。また、このフィルタカバーでは、フィルタの周縁部が紐状体により収縮可能であるため、金属製フィルタのサイズが異なっていても、一つのフィルタカバーで他種類の金属製フィルタに対応でき、他品種のフィルタカバーを用意する必要がないと記載されている。
【０００４】
また、レンジフード内の金属製フィルタのように平面方形状のフィルタを覆うものではないが、特許文献２には、換気扇のハウジングの正面全体を覆う大きさの形状であって、その外周縁を巡って一体に溶着されたゴムバンドとから構成された換気扇用フィルタが開示されている。この換気扇用フィルタでは、ゴムバンドの一体化によってフィルタはあたかもシャワーキャップのようにゴムバンドによってほぼ円形に絞り上げられた形状となり、換気扇のハウジングを包み込む。
【０００５】
【特許文献１】特開平１１−３００１３０号公報（段落００１２−００１４、図１，図３）
【特許文献２】特許第３１３１３７１号公報（段落００１３−００１５、図１，図３）
【発明の開示】
【発明が解決しようとする課題】
【０００６】
特許文献１に記載のように、金属製フィルタを包み込むように形成されたフィルタカバーでは、フィルタの周縁部を紐状体により収縮させても、不織布であるフィルタは収縮しない。そのため、金属製フィルタがある程度小さくなってくると、四隅部分がだぶついて皺が寄ってしまい、このフィルタカバーを取り付けた金属製フィルタがレンジフードにきちんと取り付けられなくなってしまう。
【０００７】
また、特許文献１に記載の換気扇用フィルタでは、ゴムバンドによって絞り上げると、原形が正方形状の生地はその角部に最も皺が発生しやすいが、予めこの部分を切欠によって盗むことで、皺を極力抑えた形状に保持できると記載されている。しかし、このように角部だけを切り欠いたものでは、包み込むもののサイズの変化に対応することができない。
【０００８】
また、特許文献１に記載の換気扇用フィルタでは、角部に切欠を設けているため、換気扇に取り付けた際にこの角部に隙間を生じる。換気扇であればその中心のファンに向かって空気が吸引されるため、この切欠の隙間は問題とならないが、レンジフードでは金属製フィルタの前面の全面から空気が吸引されるため、この換気扇用フィルタを取り付けると、角部の切欠の隙間から金属製フィルタが汚染されてしまうという問題が生じる。
【０００９】
そこで、本発明においては、レンジフードの平面方形状の固形のフィルタの前面の全面を完全に覆うことが可能であって、かつ幅広いサイズの固形のフィルタに取り付けることが可能なレンジフードのフィルタカバーを提供することを目的とする。
【課題を解決するための手段】
【００１０】
本発明のレンジフードのフィルタカバーは、レンジフードの平面方形状の固形のフィルタを覆うレンジフードのフィルタカバーであって、略平面方形状のフィルタカバー本体と、伸縮性を有する紐状体とからなり、フィルタカバー本体は、周縁の四辺がそれぞれ中心に向かって内側に折り返され、紐状体は、フィルタカバー本体の折り返された周縁四辺のそれぞれの中心部近傍であって、隣り合う辺同士に張り渡されたものである。
【００１１】
本発明のレンジフードのフィルタカバーでは、フィルタカバー本体の外周全体が紐状体により収縮されるのではなく、フィルタカバー本体の折り返された周縁四辺のそれぞれの中心部近傍が、紐状体の収縮によりフィルタカバー本体の中心へ向かって引っ張られる。そのため、フィルタカバーの中心の開口部分は、フィルタカバー本体の四隅が折り重なった状態で収縮されるので、包被するフィルタの四隅までぴったりと密着した状態で隙間なく取り付けられる。
【００１２】
ここで、本発明のレンジフードのフィルタカバーは、フィルタカバー本体の周縁四辺の中心部近傍の一部のみに紐状体を挿通する挿通部を有し、紐状体は、周縁四辺の挿通部のすべてに挿通されて環状に配されたものであることが望ましい。この構成のフィルタカバーでは、フィルタカバー本体の四辺それぞれの中心部近傍の一部のみに形成された挿通部同士が、紐状体の収縮によりフィルタカバー本体の中心へ向かって引っ張られる。このとき、紐状体が周縁四辺の挿通部のすべてに連通されて環状に配されているので、紐状体全体の引張力が調整されて均一となる。
【００１３】
また、フィルタカバー本体の周縁四辺は、中心部近傍を除いて四隅に向かってテーパが形成されたものであることが望ましい。前述のように本発明のレンジフードのフィルタカバーは、四隅が折り重なった状態で収縮される。このとき、フィルタカバー本体の周縁四辺に四隅に向かってテーパが形成されていることで、この折り重なり部分のフィルタカバー本体の四隅の面積がテーパによって除去された分だけ小さくなるので、折り重なり部分の嵩張りを少なくすることができる。
【発明の効果】
【００１４】
（１）本発明のレンジフードのフィルタカバーは、略平面方形状のフィルタカバー本体と、伸縮性を有する紐状体とからなり、フィルタカバー本体は、周縁の四辺がそれぞれ中心に向かって内側に折り返され、紐状体は、フィルタカバー本体の折り返された周縁四辺のそれぞれの中心部近傍であって、隣り合う辺同士に張り渡されたことにより、フィルタカバー本体の中心の開口部分が、フィルタカバー本体の四隅が折り重なった状態で収縮されるので、包被するフィルタの四隅までぴったりと密着した状態で隙間なく取り付けられ、フィルタの前面の全面を完全に覆うことができる。また、本発明のレンジフードのフィルタカバーでは、フィルタカバー本体の外周全体が紐状体により収縮されるのではなく、フィルタカバー本体の折り返された周縁四辺のそれぞれの中心部近傍が、紐状体の収縮によりフィルタカバー本体の中心へ向かって引っ張られるので、隣り合う辺同士が接触する位置までフィルタカバー本体の中心の開口部分を収縮することができる。これにより、本発明のレンジフードのフィルタカバーでは、大きなサイズのフィルタから小さなサイズのフィルタまで幅広いサイズのフィルタにぴったりと密着させて取り付けることができる。
【００１５】
（２）フィルタカバー本体の周縁四辺の中心部近傍の一部のみに紐状体を挿通する挿通部を有し、紐状体が、周縁四辺の挿通部のすべてに挿通されて環状に配されたものであることにより、フィルタカバー本体の四辺それぞれの中心部近傍の一部のみに形成された挿通部同士が、紐状体の収縮によりフィルタカバー本体の中心へ向かって引っ張られ、このとき、環状に配された紐状体全体の引張力が調整されて均一となるので、フィルタカバー本体の中心の開口部分の収縮状態を均一にしてフィルタカバーをフィルタに取り付けることが可能となる。
【００１６】
（３）フィルタカバー本体の周縁四辺が、中心部近傍を除いて四隅に向かってテーパが形成されたものであることにより、折り重なり部分のフィルタカバー本体の四隅の面積がテーパによって除去された分だけ小さくなり、折り重なり部分の嵩張りを少なくすることができる。
【発明を実施するための最良の形態】
【００１７】
図１は本発明の実施の形態におけるレンジフードのフィルタカバーの正面図、図２は図１のフィルタカバーのフィルタカバー本体を展開した状態を示す平面図である。
【００１８】
図１において、本発明の実施の形態におけるレンジフードのフィルタカバー１は、フィルタカバー本体２と、伸縮性を有するゴムなどの材料により形成された紐状体３とから構成される。本実施形態におけるフィルタカバー１は、レンジフードの平面方形状の金属製や樹脂製等の固形のフィルタの汚染を防止するための着脱可能なカバーである。
【００１９】
図２に示すように、フィルタカバー本体２は、平面方形状の難燃性不織布である。また、フィルタカバー本体２の外周周縁の四辺１０ａ，１０ｂ，１０ｃ，１０ｄには、それぞれの中心部近傍の一部に、紐状体３を挿通する挿通部４ａ，４ｂ，４ｃ，４ｄ（図１参照。）を形成するために突出させた突出片１１ａ，１１ｂ，１１ｃ，１１ｄが設けられている。
【００２０】
フィルタカバー本体２は、図１に示すようにその周縁の四辺１０ａ，１０ｂ，１０ｃ，１０ｄがそれぞれ中心に向かって内側に折り返されている。図２に示す一点鎖線は、この四辺１０ａ，１０ｂ，１０ｃ，１０ｄの折り返し線である。紐状体３は、四つの挿通部４ａ，４ｂ，４ｃ，４ｄのすべてを挿通して環状となるように配されている。
【００２１】
四つの挿通部４ａ，４ｂ，４ｃ，４ｄは、突出片１１ａ，１１ｂ，１１ｃ，１１ｄをフィルタカバー本体２の周縁の四辺１０ａ，１０ｂ，１０ｃ，１０ｄの線で折り返し、中に紐状体３を挿通した状態で端辺を縫い合わせたり、熱を加えて溶着したりすることで、中空筒状に形成されている。
【００２２】
紐状体３は、四つの挿通部４ａ，４ｂ，４ｃ，４ｄ内に挿通されているが、これらの四つの挿通部４ａ，４ｂ，４ｃ，４ｄは、フィルタカバー本体２の外周周縁の全体に形成されているのではなく、フィルタカバー本体２の外周周縁四辺１０ａ，１０ｂ，１０ｃ，１０ｄの中心部近傍の一部のみに形成されているので、隣り合う辺同士（辺１０ａと辺１０ｃ、辺１０ａと辺１０ｄ、辺１０ｂと辺１０ｃ、辺１０ｂと辺１０ｄ）に張り渡される部分は露出している。
【００２３】
したがって、図１に示す状態では、紐状体３には張力が働いているので、この隣り合う辺同士に張り渡される部分は直線状となっている。また、四つの挿通部４ａ，４ｂ，４ｃ，４ｄ内もそれぞれ挿通部４ａ，４ｂ，４ｃ，４ｄによって拘束されているので、紐状体３は直線状となっている。つまり、紐状体３は、図１に示すように隣り合う辺同士に張り渡される四つの部分と四つの挿通部４ａ，４ｂ，４ｃ，４ｄとの八箇所で直線状となった八角形を形成している。
【００２４】
図３は上記構成のフィルタカバー１のレンジフードのフィルタへの取り付け方法を示す工程図である。以下、図３の（ａ）〜（ｄ）の流れに従って説明する。
【００２５】
（ａ）レンジフードのフィルタＦとフィルタカバー１の長辺と短辺とを確認する。
（ｂ）フィルタカバー１に、フィルタＦの一辺を差し込むように被せる。
（ｃ）フィルタカバー１の角部の紐状体３を持ち上げるようにして、フィルタＦの全ての辺が隠れるように取り付ける。
（ｄ）フィルタカバー１の生地を均等になるように整えた後、このフィルタカバー１を装着したフィルタＦをレンジフード（図示せず。）に取り付ける。
【００２６】
以上のようにフィルタＦに取り付けられたフィルタカバー１は、フィルタカバー本体２の中心の開口部分５が、紐状体３の収縮によりフィルタカバー本体２の四隅１２ａ，１２ｂ，１２ｃ，１２ｄが折り重なった状態で収縮されるので、フィルタＦの四隅までぴったりと密着した状態で隙間なく取り付けられる。こうして取り付けられたフィルタカバー１により、フィルタＦの前面は、その全面が完全に覆われる。
【００２７】
また、このフィルタカバー１では、フィルタカバー本体２の外周全体が紐状体３により収縮されるのではなく、フィルタカバー本体２の折り返された周縁四辺１０ａ，１０ｂ，１０ｃ，１０ｄのそれぞれの中心部近傍が、紐状体３の収縮によりフィルタカバー本体２の中心へ向かって引っ張られるので、隣り合う辺同士が接触する位置までフィルタカバー本体２の中心の開口部分５が収縮される。図４はフィルタカバー１を図１の状態からさらに収縮させた状態を示している。
【００２８】
なお、フィルタカバー本体２の各部の寸法を、長辺側の長さが約５２ｃｍ、短辺側の長さが約４２ｃｍ、挿通部４ａ，４ｂ，４ｃ，４ｄの長さが約１４ｃｍとなるように形成したものでは、大きなものではフィルタＦの長辺側の長さが約４７ｃｍ、短辺側の長さが約３６ｃｍ、小さなものではフィルタＦの長辺側の長さが約３３ｃｍ、短辺側の長さが約２８ｃｍまで対応することができた。
【００２９】
つまり、本実施形態におけるフィルタカバー１では、短辺１０ａ，１０ｂの長さをＡ1、長辺１０ｃ，１０ｄの長さをＡ2、挿通部４ａ，４ｂの長さをＢ1、挿通部４ｃ，４ｄの長さをＢ2とした場合、隣り合う挿通部同士（挿通部４ａと挿通部４ｃ、挿通部４ａと挿通部４ｄ、挿通部４ｂと挿通部４ｃ、挿通部４ｂと挿通部４ｄ）が接触する寸法である辺の長さ（（Ａ1−Ｂ1）÷２＋Ｂ1）と（（Ａ2−Ｂ2）÷２＋Ｂ2）の小さなフィルタＦまで対応することが可能である。このように、本実施形態におけるフィルタカバー１では、大きなサイズから小さなサイズまで幅広いサイズのフィルタＦにぴったりと密着させて取り付けることができる。
【００３０】
また、本実施形態におけるフィルタカバー１では、フィルタカバー本体２の周縁四辺１０ａ，１０ｂ，１０ｃ，１０ｄの中心部近傍の一部のみに紐状体３を挿通する挿通部４ａ，４ｂ，４ｃ，４ｄを有し、紐状体３が、周縁四辺の挿通部４ａ，４ｂ，４ｃ，４ｄのすべてに挿通されて環状に配されているので、フィルタカバー本体２の四辺１０ａ，１０ｂ，１０ｃ，１０ｄそれぞれの中心部近傍の一部のみに形成された挿通部４ａ，４ｂ，４ｃ，４ｄ同士が、紐状体３の収縮によりフィルタカバー本体２の中心へ向かって引っ張られる。このとき、環状に配された紐状体３全体の引張力が調整されて均一となるので、フィルタカバー本体２の中心の開口部分５の収縮状態を均一にしてフィルタカバー１をフィルタＦに取り付けることができる。
【００３１】
なお、本実施形態において紐状体３は、１本の紐状体３を四つの挿通部４ａ，４ｂ，４ｃ，４ｄのすべてを通して環状となるように配しているが、この紐状体３は、四つの挿通部４ａ，４ｂ，４ｃ，４ｄの端部の位置から隣り合う辺１０ａ，１０ｂ，１０ｃ，１０ｄ同士の四つの挿通部４ａ，４ｂ，４ｃ，４ｄの端部の位置までのみ張り渡された構成とすることも可能である。この場合、挿通部４ａ，４ｂ，４ｃ，４ｄは不要である。
【００３２】
また、図５および図６は本実施形態におけるレンジフードのフィルタカバーの別の例を示している。図５および図６に示すフィルタカバー６は、フィルタカバー本体２０の周縁四辺が、中心部近傍を除いて四隅２５ａ，２５ｂ，２５ｃ，２５ｄに向かってテーパ２１ａ，２１ｂ，２２ａ，２２ｂ，２３ａ，２３ｂ，２４ａ，２４ｂが形成されたものである。なお、図５および図６において、図１および図２と共通の部分については同一の符号を付している。
【００３３】
この構成では、フィルターカバー本体２０の四隅の折り重なり部分２６ａ，２６ｂ，２６ｃ，２６ｄの面積がテーパ２１ａ，２１ｂ，２２ａ，２２ｂ，２３ａ，２３ｂ，２４ａ，２４ｂによって除去された分だけ小さくなり、折り重なり部分２６ａ，２６ｂ，２６ｃ，２６ｄの嵩張りを少なくすることができる。
【産業上の利用可能性】
【００３４】
本発明のフィルタカバーは、レンジフード内の平面方形状の金属製や樹脂製等の固形のフィルタの汚染を防止するためのカバーとして有用である。特に、レンジフードの平面方形状の固形のフィルタの前面の全面を完全に覆うことが可能であって、かつ幅広いサイズの固形のフィルタに取り付けることが可能な点でレンジフードのフィルタカバーとして好適である。
【図面の簡単な説明】
【００３５】
【図１】本発明の実施の形態におけるレンジフードのフィルタカバーの正面図である。
【図２】図１のフィルタカバーのフィルタカバー本体を展開した状態を示す平面図である。
【図３】図１のフィルタカバーのレンジフードのフィルタへの取り付け方法を示す工程図である。
【図４】フィルタカバーを図１の状態からさらに収縮させた状態を示す図である。
【図５】本発明の実施の形態におけるレンジフードのフィルタカバーの別の例を示す正面図である。
【図６】図５のフィルタカバーのフィルタカバー本体を展開した状態を示す平面図である。
【符号の説明】
【００３６】
１，６  フィルタカバー
２，２０  フィルタカバー本体
３  紐状体
４ａ，４ｂ，４ｃ，４ｄ  挿通部
５  開口部分
１１ａ，１１ｂ，１１ｃ，１１ｄ  突出片
【図１】
2006183931.tif 000003
【図２】
2006183931.tif 000004
【図３】
2006183931.tif 000005
【図４】
2006183931.tif 000006
【図５】
2006183931.tif 000007
【図６】
2006183931.tif 000008